(57)【要約】【課題】本発明の課題は、枝葉が邪魔にならずに取付け具を樹上に持ち上げられ、操作上極めて便利であり、小さな状態の保管ができる柱状体倒し誘導用ロープ取付け具を提供することである。【解決手段】本発明に係る柱状体倒し誘導用ロープ取付け具は、所望の長さを確保する棹と柱や樹木等の柱木を挟み動作により囲み挟むための半円弧形状の挟み部と、相対する挟み部の辺に取り付け外れ自在に沿わせたロープと、ロープの両先端に存在し、相対する挟み部が接触した時に互いに結合して両ロープを結合する結合具と、棹と挟み部の間の角度を変えるための回転結合部とこの回転を棹の手元から操作する手元操作具を備える。【選択図】図１
2014132852.tif 000002
【特許請求の範囲】
【請求項１】
所望の長さを与える操作のための棹と、前記棹の先端に接続され、柱状体を挟み動作により囲み挟むためのもので、前記挟み動作の支点で互いに軸支された一対の円弧形状のはさみ片を有する円弧形状部を備えた挟み部と、前記挟み部の辺に取り付け外れ自在に沿わせた一対のロープを有するロープユニットと、前記ロープの両先端に存在し、前記挟み部の相対する先端が接触した時に互いに結合して両ロープを結合する結合具と、前記棹と前記挟み部の間の角度を変えるために両者の間に存在する回転結合部と、前記回転を前記棹の手元から操作する手元操作具を前記棹の手元側に備えたことで、前記柱状体の下から前記挟み部と前記棹を持ち上げるときは、挟み部の円弧形状部が呈する面は、前記棹と平行状態に近い角度とし、持ち上がってから、前記柱状体を挟む前に前記面を前記棹に対して直角状態に近く折込むことを可能としたことを特徴とする柱状体倒し誘導用ロープ取付け具。
【請求項２】
前記はさみ片の開閉、前記結合具の結合、前記挟み部からの前記ロープユニットの外し動作の内、すくなくとも一つを前記手元操作具から行う場合に、前記挟み部の円弧形状部が呈する面が、前記棹に対して直角状態に近く折曲がったときにも、前記手元操作具による操作を前記折曲った前記挟み部に、操作ワイヤで操作を伝達するために、前記回転結合部のある前記棹又は前記挟み部に前記操作ワイヤを掛ける滑車を備えたことで操作方向を変えることを可能としたことを特徴とする請求項１記載の柱状体倒し誘導用ロープ取付け具。
【請求項３】
前記棹の前記手元操作具がある方には、作業者に前記棹と前記挟み部の重さを与えないように所望の長さの延長棹とその先端に備えた地面接触具を備えたことを特徴とする請求項１又は請求項２のいずれか１つに記載の柱状体倒し誘導用ロープ取付け具。
【請求項４】
前記ロープユニットの前記結合具が付いた端側から、前記柱状体を挟み絡む長さ分の前記ロープは、金属性の複数の細線の集合によるロープであることを特徴とする請求項１から請求項３のいずれか１つに記載の柱状体倒し誘導用ロープ取付け具。
【請求項５】
前記挟み部の二つの前記はさみ片が、各々円弧状の第一の挟み片と第二の挟み片で形成され、両者の間は回転軸を有して軸支結合されていることを特徴とする請求項１から請求項４のいずれか１つに記載の柱状体倒し誘導用ロープ取付け具。
【請求項６】
前記はさみ片の開口部に柱状体の周辺の枝葉が入り邪魔になることを回避するために、前記はさみ片の開口部の先端にこれを覆うカバーを有することを特徴とする請求項１から請求項５のいずれか１つに記載の柱状体倒し誘導用ロープ取付け具。
【発明の詳細な説明】
【技術分野】
【０００１】
本発明は、電柱等の柱、伐採木等の樹木を所望の方向に倒すためにこれらの幹に掛ける倒し誘導用のロープを掛けるロープ取付け具に関するものである。
【背景技術】
【０００２】
従来、この手の提案としては以下のようなものがあり図５に示されている。特許文献１に示される５−Ａでは。円弧形はさみ状（クエスチョンマーク状：「？」）の棒状部先端のリング部を通過したロープがあり、ロープの先端は、第二のリングになっていて、樹木等の幹に円弧形はさみを絡ませた状態で円弧形はさみの円弧形部の先端を第二のリングに通す操作を行うことで、ロープを樹木等の幹に絡ませることが出来るものである。この提案は、単純であり軽量化が可能だが、実際には非常に使いにくい欠点がある。というのは、図のように円弧形はさみを樹木の幹に掛けやすくするには、操作の棹に対して、円弧形はさみ面が直角に曲がっていると、円弧形部の先端を第二のリングに通す操作を行うことは難しい。図面のように操作の棹に対して、円弧形はさみ面がまっすぐの場合は、円弧形はさみ面が樹木の幹に掛かるためには、よほど斜めに操作の棹を繰り出さないといけない。当然、円弧形部の先端を第二のリングに通す操作は、操作者から遠くの状態を目視しながら行うので、遠隔カメラでも用いなければ容易でない。又、操作の棹自体も長くなり重さが操作の負担になる。
【０００３】
特許文献２に示される５−Ｂのものは、５−Ａのものより幾分操作が容易である。これは、樹木の幹に掛ける引きロープを誘導するものである。操作の棹の先端にやはり円弧形はさみ状の器具があり、これに備えられた溝に沿ってロープとその先端に付いた掛けリングがあり、操作の棹の先端には、掛けリングを掛けるための棒がある。円弧形はさみ状の器具の面は、操作の棹の伸びる方向に直角に曲がっているので、樹木の真下から、樹木に円弧形はさみ状の器具を嵌めて、操作の棹を操作しながら棒を掛けリングに掛ける動作を行い、掛かった状態で操作の棹を引くと、引きロープが繰り出されて、樹木に引きロープが掛かった状態になる。この提案には、操作の棹を操作しながら棒を掛ける動作があり、やはり難しい。
【０００４】
特許文献３に示される５−Ｃには、操作の棹の先端で棹の中心軸を軸に回転可能に付けられ互いに反対向きの円弧形部とそれに一体接続し、軸に回転可能に接続した長片があり、二つの円弧形部に樹木の幹を挟んだ状態で、手元の紐を引くと、ピンが抜けて、バネで付勢された長片が動いて二つの円弧形部が閉じて幹を把持するものである。これは、この装置全体で幹を挟んで倒すことになるため、紐を引いて倒した場合には、倒木と一緒に装置全体が倒れ、倒木の下敷きになって装置が壊れる可能性が極めて高いので、好ましい装置とはいえない。
【０００５】
特許文献４に示される５−Ｄでは、結果的には、５−Ｃの改良されたようなもので、二つの円弧形部には、引きロープが支持され、その先端同士は、円弧形部が閉じたときに噛みあう結合具を有している。他に長片には付勢のためのゴムと、長片を動ける状態にする操作板、引き抜きピンがあり、引きロープに繋がっている。この装置は、引きロープがこの装置から離れて、引きロープのみを引いて倒木できるので、５−Ｃのような不具合はないが、付勢のためのゴムの強さの劣化や、枝にひっかかる可能性があり、安定な機能が確保できるかどうか危惧される。
【０００６】
特許文献５に示される５−Ｅでは、二つの円弧形の途中で更に二つの円弧部に分かれ、両者は、回転軸を持って結合している。開口端側の円弧部は、回転軸の反対側に、やはり円弧状の延長部があり、この部分を樹木等が押すと、回転軸を中心に円弧部が回転し、円弧部が樹木の幹を挟むように閉じる。この構成は、円弧部の閉じる動作が５−Ｄのように紐を引くことに依存しない点で単純な構成である。円弧形部が閉じたときに噛みあう結合具がかみ合った後は、引きロープはこの装置から外れるようになっている。難点は、円弧状の延長部に途中の枝等が当たるとそれで円弧部が閉じてしまう恐れがあり、引っかかったものを外すのは厄介であるので、注意深い操作が必要である。尚、この装置には、操作の棹と円弧形はさみ面の間の角度（傾斜）を変える部分が備えてあるので、傾斜角を選べる。しかし、地上で角度を設定すると、操作が終わるまでは角度を変えられない。実際には、樹木を円弧形はさみで挟むことが必要なので、円弧形はさみは、操作の棹の長手方向に直角近い傾斜（この角度近辺で多少変えられる）が必要である。
【０００７】
尚、５−Ｂ、５−Ｃ、５−Ｄ、５−Ｅの全てに共通して大きな不都合がある。特に樹木の倒木では、適当な高さの位置で出来れば枝のある上にロープの輪を掛けたい。低いところに掛けると、てこを考えると倒木に引く力が余計に必要である。枝が無いと、ロープがずり落ちる。多くの場合、適度な高さの樹木は、ロープを掛ける高さまでには、幾つかの枝葉が存在する。枝葉の間の空間を潜って円弧形はさみの部分を通さなくてはならないのが実情である。５−Ｂ、５−Ｃ、５−Ｄ、５−Ｅの例の全ては、円弧形はさみ部の面が、操作の棹に直角であるため、円弧形はさみ部の囲む面積全体が大きくなり、枝葉の間の空間を通りにくい又はひっかかる状態となるので、極めて使いにくい欠点となっている。然しながら、円弧形はさみ部は樹木の幹を挟むものであるので、操作の棹と直角になるのは必然であるので厄介な問題となっている。
【先行技術文献】
【特許文献】
【０００８】
【特許文献１】特開２００６−２０５２８
【特許文献２】特開２００６−２３８８０７
【特許文献３】実開平０４−３５７５１
【特許文献４】特許第３５９８４２０号
【特許文献５】特許第４７５７２３６号
【発明の概要】
【発明が解決しようとする課題】
【０００９】
従来提案品の特徴である円弧形状はさみ部の囲む面が操作の棹と直角であることでの欠点を克服し、円弧状はさみ部が容易に樹木の枝葉の間の空間を通って、樹木の幹を挟み、ロープを容易に掛けることが可能な柱状体倒し誘導用ロープ取付け具を提供することである。
【課題を解決するための手段】
【００１０】
本発明の柱状体倒し誘導用ロープ取付け具は、所望の長さを確保する棹と柱や樹木等の柱木を挟み動作により囲み挟むための挟み部と、相対する挟み部の辺に取り付け外れ自在に沿わせたロープと、ロープの両先端に存在し、相対する挟み部が接触した時に互いに結合して両ロープを結合する結合具と、棹と挟み部の間の角度を変えるための回転結合部とこの回転を棹の手元から操作する手元操作具を備えたことで、樹木等の柱木の下から挟み部と棹を持ち上げるときは、挟み部の面は棹との角度を直角状態から平行状態に近くし、持ち上がって、樹木を挟む前に挟み部の面を棹に対して直角状態近辺に折込むことを可能としたものである。
以下、請求項に沿って記述する。
【００１１】
請求項１記載の発明は、柱状体倒し誘導用ロープ取付け具であって、
所望の長さを与える操作のための棹と、前記棹の先端に接続され、柱状体を挟み動作により囲み挟むためのもので、前記挟み動作の支点で互いに軸支された一対の円弧形状のはさみ片を有する円弧形状部を備えた挟み部と、前記挟み部の辺に取り付け外れ自在に沿わせた一対のロープを有するロープユニットと、前記ロープの両先端に存在し、前記挟み部の相対する先端が接触した時に互いに結合して両ロープを結合する結合具と、前記棹と前記挟み部の間の角度を変えるために両者の間に存在する回転結合部と、前記回転を前記棹の手元から操作する手元操作具を前記棹の手元側に備えたことで、前記柱状体の下から前記挟み部と前記棹を持ち上げるときは、挟み部の円弧形状部が呈する面は、前記棹と平行状態に近い角度とし、持ち上がってから、前記柱状体を挟む前に前記面を前記棹に対して直角状態に近く折込むことを可能としたことを特徴とする。
【００１２】
請求項２記載の発明は、請求項１記載の柱状体倒し誘導用ロープ取付け具において、
前記はさみ片の開閉、前記結合具の結合、前記挟み部からの前記ロープユニットの外し動作の内、すくなくとも一つを前記手元操作具から行う場合に、前記挟み部の円弧形状部が呈する面が、前記棹に対して直角状態に近く折曲がったときにも、前記手元操作具による操作を前記折曲った前記挟み部に、操作ワイヤで操作を伝達するように、前記回転結合部のある前記棹又は前記挟み部に前記操作ワイヤを掛ける滑車を備えたことで操作方向を変えることを可能としたことを特徴とする。
【００１３】
請求項３記載の発明は、請求項１又は請求項２のいずれか１つに記載の柱状体倒し誘導用ロープ取付け具において、
前記棹の前記手元操作具がある方には、作業者に前記棹と前記挟み部の重さを与えないように所望の長さの延長棹とその先端に備えた地面接触具を備えたことを特徴とする。
【００１４】
請求項４記載の発明は、請求項１から請求項３のいずれか１つに記載の柱状体倒し誘導用ロープ取付け具において、
前記ロープユニットの前記結合具が付いた端側から、前記柱状体を挟み絡む長さ分の前記ロープは、金属性の複数の細線の集合によるロープであることを特徴とする。
【００１５】
請求項５記載の発明は、請求項１から請求項４のいずれか１つに記載の柱状体倒し誘導用ロープ取付け具において、
前記挟み部の二つの前記はさみ片が、各々円弧状の第一の挟み片と第二の挟み片で形成され、両者の間は回転軸を有して軸支結合されていることを特徴とする。
【００１６】
請求項６記載の発明は、請求項１から請求項５のいずれか１つに記載の柱状体倒し誘導用ロープ取付け具において、
前記はさみ片の開口部に柱状体の周辺の枝葉が入り邪魔になることを回避するために、前記はさみ片の開口部の先端にこれを覆うカバーを有することを特徴とする。
【発明の効果】
【００１７】
以上の様に構成されているので、本発明による柱状体倒し誘導用ロープ取付け具では、
挟み部の面が棹と平行状態に近い場合は、樹木の枝葉の間の空間から見た場合、挟み部は非常に薄い断面に見えるため、見た目に空いたところを紙を通すように、紙の両端のみに注意すればよく、空間を通すのは格段に容易になっている。しかも、通ってから挟み動作の前に、角度を自在に手元で所望の角度に戻せ、挟みを行い、ロープを掛けることが出来る。ロープを掛けた後は、ロープを挟み部の辺から外し、再度、挟み部の角度を平行状態に戻して、棹を下げればよい。これで、ロープが掛かった状態が実現する。
【図面の簡単な説明】
【００１８】
【図１】本発明に係る柱状体倒し誘導用ロープ取付け具の一実施態様を示す図である。
【図２】本発明に係る柱状体倒し誘導用ロープ取付け具の角度手元調節部以外の構成の一実施態様を示す図である。
【図３】本発明に係る柱状体倒し誘導用ロープ取付け具の角度手元調節部以外の構成の別の実施態様を示す図である。
【図４】本発明に係る柱状体倒し誘導用ロープ取付け具の角度手元調節部以外の構成の別の実施態様を示す図である。
【図５】従来の倒木用誘導用ロープ取付け具の例を示す図である。
【発明を実施するための形態】
【００１９】
本発明の柱状体倒し誘導用ロープ取付け具は、所望の長さを確保する棹と柱や樹木等の柱木を挟み動作により囲み挟むための円弧形状の挟み部と、相対する挟み部の辺に取り付け外れ自在に沿わせたロープと、ロープの両先端に存在し、相対する挟み部が接触した時に互いに結合して両ロープを結合する結合具と、棹と挟み部の間の角度を変えるための回転結合部とこの回転を棹の手元から操作する手元操作具を備えたことで、樹木等の柱木の下から挟み部と棹を持ち上げるときは、挟み部の面は棹との角度を直角状態から平行状態に近くし、持ち上がって、樹木を挟む前に挟み部の面を棹に対して直角状態近辺に折込むことを可能としたものである。以下図に沿って説明する。
【００２０】
図１は、本発明に係る柱状体倒し誘導用ロープ取付け具の一実施態様を示す図である。
１−Ｃには、作業者１０１が、柱状体倒し誘導用ロープ取付け具１００の操作棹１１０を持って樹木の枝葉の隙間空間を見ながら、操作棹１１０を上げてゆく状態を示している。操作棹１１０の先端には、挟み部１２０があって、従来の提案では、操作棹１１０に対して挟み部１２０は略直角の状態で上げなければならない。従ってＡ、Ｂ地点で図に示すように、枝葉に接触しやすい欠点を有していた。本願では、操作棹１１０を持ち上げるときは、操作棹１１０に対して挟み部１２０は略直角の状態から外れ平行状態又はこれに近い状態なので、図上のＣのような状態で最初から上げることが出来るので、途中で枝葉の邪魔を受けることなく上げることができて、最終の高さに上がったときに、手元の操作で図のＣのように略直角に角度を向けることが出来る。ロープを掛け終わったら再び角度を平行に近く戻すことができる。
【００２１】
以上のような操作が可能なように本願はなっている。１−Ａにおいて、柱状体倒し誘導用ロープ取付け具１００は、作業者が手に持って操作する操作棹１１０とその先端についた挟み部１２０を有している。挟み部１２０と操作棹１１０は、回転結合部１３０により接続している。挟み部１２０は、棒状部１２１とその先端にはさみ動作の支点１２２を介して回転自在に備えられた二つの互いに向き合った円弧状のはさみ片１２３があり、二つのはさみ片１２３が動く面に直角方向に動くように回転結合部１３０の軸が定められている。
【００２２】
操作棹１１０の他の先端には、操作者が操作する手元操作具１４０があって、これを操作すると、挟み部１２０は、操作棹１１０に対して回転結合部１３０の軸の周りに回転し、いつでも自在に挟み部１２０の操作棹１１０への角度が変わるようになっている。１−Ａの例では、手元操作具１４０からは操作ワイヤ１４１が出ていて、棒状部１２１を引っ張り回転することが出来る。手元操作具１４０を戻したときに操作ワイヤ１４１が堅固さをもって、これによって、棒状部１２１が戻ることも良いし、棒状部１２１に戻りのために付勢バネのような弾性体を備えても良い。
【００２３】
１−Ｂでは、手元操作具１４０により操作ワイヤ１４１を引いて実現した、挟み部１２０と操作棹１１０の傾斜角度が３つの状態（勿論、角度は所望のどの値も取ることが出来る）を示す。（イ）の状態は、挟み部１２０と操作棹１１０が略平行の場合で、円弧状のはさみ片１２３の横から見た状態になり、樹木の枝葉の隙間側の方向Ｓから見ても薄いので、枝葉の狭い間隙を通して持ち上げるには好都合である。（ハ）の状態は、挟み部１２０と操作棹１１０が略直角の場合で、樹間側の方向Ｓから見たら、挟み部の円弧が作る円形面が見えるので、狭い間隙を通すには不都合である。従って、持ち上がった後に樹木の幹を挟む前にこの状態に変えるのが極めて都合がよい。（ロ）は両者の中間状態である。随時、手元操作具１４０により角度を変えることが出来るので、使用時以外にも収納時にも適当な角度で収納がコンパクトに出来る利点もある。
次に、回転結合部１３０以外の特に挟み部１２０他の構成部の例を図２以下の図を用い説明する。
【００２４】
尚、１−Ａ、１−Ｂに示すように、操作ワイヤ１４１の操作方向を変える滑車１５０があることで、挟み部が直角に曲がった場合も手元操作具から以下のように有効な操作が行える。（滑車１５０を備えない場合は、操作の向きがことなるので、駆動モータを備えて、無線等で駆動する必要が生じる。）ここでは、はさみ片の開閉、結合具の結合、挟み部からのロープユニットの外し動作の内、すくなくとも一つを手元操作具から行う場合に、挟み部の円弧形状部が呈する面が、棹に対して直角状態に近く折曲がったときにも、手元操作具による操作を折曲った挟み部に、操作ワイヤで操作を伝達するように、回転結合部のある棹又は挟み部に操作ワイヤを掛ける滑車を備えたことで操作方向を変えている。
【００２５】
図２は、本発明に係る柱状体倒し誘導用ロープ取付け具の角度手元調節部以外の構成の一実施態様を示す図である。図２では、回転結合部１３０等、挟み部１２０の角度を変える部分は、図１で説明したので、記述を省略した。２−Ａは、柱状体倒し誘導用ロープ取付け具１００の全体を示す。操作棹１１０は、ここでは、２−Ｂに示すように所望の長さを実現するために一本棹でも良いが、図示のように繋ぎ棹の構成になっていると都合がよい。最初は短く、挟み部１２０を上げるにつれて、操作棹１１０を延ばし長くしてゆくのが扱いやすい。操作棹１１０の操作者が握る手元には、手元操作具１４０、この図の例では、操作レバーが備えられ、これを引き押しすると、これに繋がった操作ワイヤ１４１に接続した回転結合部１３０や挟み部１２０に備わった操作具を動かし状態を変えることが出来る。尚、この図に示すように、操作棹１１０の手元操作具１４０がある方には、更に作業者の胸の高さ程度の長さの延長棹とそれに地面への安定接触具１４２（例えば、この例では、円形のブーツ、三脚など）があると、棹等の重みを感じなくて済む好都合である。
【００２６】
操作棹１１０の先端についた挟み部１２０は、一例として２−Ｃのようになっている。勿論他の例も適用できる。
挟み部１２０は、棒状部１２１とその先端にはさみ動作の支点（回転軸）１２２を介して回転自在に備えられた二つの互いに向き合った円弧状のはさみ片１２３がある。はさみ片１２３は、支点１２２の反対側に延長部１２４があり、ここには、操作ワイヤ１４１が繋がっているので、手元操作具１４０の操作ではさみ片１２３の開閉が出来る。この図では、更に、はさみ片１２３の先端にはさみ片１２３が閉じたときに噛みあう結合具１２４の保持・分離を行う結合具保持具１２５を備えている。更に、結合具１２４の互いの結合を支援する結合支援具１２６も付いている。
【００２７】
次に、２−Ｄにおいて、ロープユニット２００を説明する。
ロープユニット２００は、樹木等にロープユニットが掛かってから引いて樹木等を倒すための引き綱２０１と引き綱２０１に繋がって樹木等の幹に絡む絡み綱２０２と、二つの絡み綱２０２の先端に付いた結合具１２４を有している。
結合具１２４の例としては、２−Ｅ又は２−Ｆに示すように色々のものが使用できる。２−Ｅ、２−Ｆでは、結合具１２４の一方が、棒状部を有する穴の開いたドーナツ状のリング状体２１０をしており、棒状部には、絡み綱２０２が接続される。結合具１２４の他方は、２−Ｅでは、鋏形状体２２０であり、鋏が閉じたときに鋏の刃先２１１がリング状体２１０の穴に嵌り、互いに接触し、リング状体２１０と鋏形状体２２０は抜けることなく結合して、樹木等の幹に絡みつく。２−Ｅにおいては、鋏のハンドル部の一方は、結合具保持具１２５により把持され、又、リング状体２１０と鋏形状体２２０が結合した後は、
分離される。鋏のハンドル部の他方は、結合支援具１２６により把持されていて、結合支援具１２６の把持状態が外されると、この例では、付勢バネ２１２により、鋏の刃先２１１が閉じるようになる。２−Ｆでは、鋏の代わりにカラビナ２３０になっていて、はさみ片１２３が閉じたときに、リング状体２１０がカラビナ２３０の可動片２２１を押して、両者が結合する。この場合には、特に結合支援具１２６の助けは必要としない。
【００２８】
２−Ｄでは、更にロープユニット２００を挟み部１２０に把持し・外し分離するための把持具２４０を示している。把持具２４０は、２−Ｃにおいては、挟み部１２０の棒状部１２１に把持片１２７を持って把持され、把持片１２７は、手元操作具１４０に操作ワイヤ１４１を通じて繋がっているので、これを操作して、解除をすると、挟み部１２０からロープユニット２００は外れて自由になる。外れる前は、絡み綱２０２は、はさみ片１２３上にゆるく保持されている。
【００２９】
尚、ここまで、操作ワイヤ１４１は、１本での共用よりはむしろ、その用途に応じただけ別々に複数あることを付記する。又、引き綱２０１と絡み綱２０２は、同じもので１本でもかまわないことは勿論である。尚、絡み綱２０２を金属線特に細線の複数集合線にすると耐久性がよい。２−Ｇには、ロープユニット２００が樹木等の幹に絡んでいる状態を示し、操作棹１１０と挟み部１２０は、外れていて離れているので示されていない。このような状態で、倒木の場合は、樹木の根の近辺に切り込みを付けたあと、引き綱２０１を引いて、倒木し、その後、地上に横たわった樹木から、結合具１２４を外し、ロープユニット２００を外すことを行う。
【００３０】
図３は、本発明に係る柱状体倒し誘導用ロープ取付け具の角度手元調節部以外の構成の別の実施態様を示す図である。特に挟み部１２０が示されている。二つのはさみ片１２３が、各々円弧状の第一の挟み片１２３Ａ、第二の挟み片１２３Ｂで形成され、両者の間は、回転軸を有して結合されているものである。はさみ片１２３の開き状態を大きく確保することが出来る。尚、ここでは、操作棹１１０の手元から手元操作具１４０によって、開き状態を自由に適時に変えられるように操作ワイヤ１４１で動作するようにしているが、各々を全部操作ワイヤ１４１で稼動する必要はなく、バネの付勢などを利用しても良い。
【００３１】
図４は、本発明に係る柱状体倒し誘導用ロープ取付け具の角度手元調節部以外の構成の別の実施態様を示す図である。はさみ片１２３の例を示すが、はさみ片１２３の開口側に開口部を覆うカバー４０１を有したものである。これは、誘導用ロープ取付け具を枝葉の間を通して持ち上げる場合に、多少の枝葉があっても、カバー４０１があるため、枝葉がはさみ片１２３の作る円形空間に入らずに、はさみ片１２３の周辺を滑っていくため、操作が容易に進むことを狙っている。勿論、挟み部１２０が所望の高さに持ち上がってからは、このカバー４０１は、手元操作具１４０によって開くことが出来る。
【００３２】
尚、今までの説明では、操作棹１１０に対する挟み部１２０の曲げの駆動は、手元操作具１４０により、操作ワイヤ１４１を通じて行う例を示したが、操作棹１１０に対する挟み部１２０の回転をパルスモータ等を使って行い、その駆動を手元操作具１４０とパルスモータ等の制御器との間で無線通信によって行うことも可能である。当然、操作ワイヤ１４１が不要であり、構成がすっきりする。同様に、他の駆動のためにある操作ワイヤ１４１も無線駆動により無くすことが出来ることは当然である。
【産業上の利用可能性】
【００３３】
以上のように本発明による柱状体倒し誘導用ロープ取付け具は、枝葉が邪魔にならずに取付け具を樹上に持ち上げられ、操作上極めて便利であり、又、小さな状態の保管ができるので、産業上利用して効果が極めて大きい。
【符号の説明】
【００３４】
１００  柱状体倒し誘導用ロープ取付け具
１０１  作業者
１１０  操作棹
１２０  挟み部
１２１  棒状部
１２２  支点
１２３、１２３Ａ、１２３Ｂ  はさみ片
１２４  結合具
１２５  結合具保持具
１２６  結合支援具
１２７  把持片
１３０  回転結合部
１４０  手元操作具
１４１  操作ワイヤ
１５０  滑車
２００  ロープユニット
２０１  引き綱
２０２  絡み綱
２１０  リング状体
２１１  鋏の刃先
２１２  付勢バネ
２２０  鋏形状体
２２１  可動片
２３０  カラビナ
２４０  把持具
４０１  カバー
【図１】
2014132852.tif 000003
【図２】
2014132852.tif 000004
【図３】
2014132852.tif 000005
【図４】
2014132852.tif 000006
【図５】
2014132852.tif 000007